(57)【要約】【課題】  コモンモード放射電磁界低減のための灯体とソケットカバーとの電気的接続をシンプルな機構で安定して実現する放電灯点灯装置及びソケットカバーを提供する。【解決手段】  本発明に係る放電灯点灯装置は、放電灯点灯用インバータ回路により点灯される放電灯１と、放電灯１を装着するためのソケット部４と、ソケット部４の周囲を覆う金属製のソケットカバー５と、ソケット部４への対向面に対向部２２を有して放電灯１を組み込む金属製の灯体２とを備え、灯体２とソケットカバー５との間に、一端がソケットカバー５に電気的に接続され、他端がソケット部４側から対向部２２に電気的接続可能な弾性を有する接続部６を、対向部２２の全周囲にわたり複数個設けた構成である。【選択図】図１
2005294110.tif 000002
【特許請求の範囲】
【請求項１】
放電灯点灯用インバータ回路により点灯される放電灯と、該放電灯を装着するためのソケット部と、該ソケット部の周囲を覆う金属製のソケットカバーと、前記ソケット部への対向面に対向部を有し、前記放電灯を組み込む金属製の灯体とを備えた放電灯点灯装置であって、
前記ソケットカバーと前記灯体との間に、一端が前記ソケットカバーに電気的に接続され、他端が前記ソケット部側から前記対向部に電気的接続可能な弾性を有する接続部を、前記対向部の全周囲にわたり複数個設けたことを特徴とする放電灯点灯装置。
【請求項２】
放電灯点灯用インバータ回路により点灯される放電灯と、該放電灯を装着するためのソケット部と、該ソケット部の周囲を覆う金属製のソケットカバーと、前記ソケット部への対向面に対向部を有し、前記放電灯を組み込む金属製の灯体とを備えた放電灯点灯装置であって、
前記ソケットカバーと前記灯体との間に、一端が前記ソケットカバーに電気的に接続され、他端が前記ソケット部側から前記対向部に電気的接続可能な弾性を有する接続部を、前記対向部の全周囲にわたり連続して設けたことを特徴とする放電灯点灯装置。
【請求項３】
前記接続部は、前記ソケットカバーと一体形成された請求項１又は請求項２に記載の放電灯点灯装置。
【請求項４】
前記接続部は、前記ソケットカバーと別途形成された請求項１又は請求項２に記載の放電灯点灯装置。
【請求項５】
前記放電灯は、バルブ本体と、バルブ電極と、前記バルブ本体と前記バルブ電極との間に設けたバルブマウントとを少なくとも備え、
前記灯体は、該灯体と前記ソケット部との間で前記バルブマウントを挟持するストッパー部を備えるとともに、前記接続部と着脱自在に嵌合する嵌合接続部を備えた請求項１乃至請求項４のいずれかに記載の放電灯点灯装置。
【請求項６】
放電灯点灯用インバータ回路により点灯される放電灯と、前記放電灯を装着するためのソケット部と、該ソケット部の周囲を覆う金属製のソケットカバーと、前記ソケット部への対向面に対向部を有し、前記放電灯を組み込む金属製の灯体とを備えた放電灯点灯装置に用いるソケットカバーであって、
前記ソケットカバーは、前記ソケット部側から前記対向部の全周囲にわたり電気的接続可能な弾性を有する接続部を備えたことを特徴とする放電灯点灯装置に用いるソケットカバー。
【発明の詳細な説明】
【技術分野】
【０００１】
本発明は、自動車用前照灯点灯装置等に用いる放電灯点灯装置及び放電灯点灯装置に用いるソケットカバーに関するものである。
【背景技術】
【０００２】
従来の放電灯点灯装置は、図６に示すように、放電灯点灯用インバータ回路（不図示）により点灯されるＨＩＤ（Ｈｉｇｈ  Ｉｎｔｅｎｓｉｔｙ  Ｄｉｓｃｈａｒｇｅ）バルブ等の放電灯１と、この放電灯１を組み込むための金属製の灯体２と、放電灯点灯用インバータ回路（不図示）から電力供給を受けて始動時に放電開始に必要な高圧パルスを放電灯１に印加する起動回路（不図示）を含むソケット部４と、このソケット部４の周囲を覆う金属製筐体のソケットカバー５と、灯体２の一部とソケットカバー５とを電気的に接続するための弾性を有する板状の金属製構造物６０とを備えた構成であり、自動車用前照灯用に用いられるものを例示することができる。
【０００３】
上述の放電灯点灯装置は、灯体２とソケットカバー５とを金属製構造物６０にて接続させて、ＦＭ放送の周波数帯域を含むＶＨＦ帯域（３０〜３００ＭＨｚ）の輻射ノイズレベルを低減させることで、バルブ放電を原因とする迷走電流（コモンモード電流）を抑制して、バルブから放射されラジオ受信機等の車載機器に対して影響を与えるコモンモード放射電磁界を低減させている（例えば特許文献１、図６参照）。
【特許文献１】特開２００３−２０３５１７号公報
【発明の開示】
【発明が解決しようとする課題】
【０００４】
ところが、上述のような従来の放電灯点灯装置においては、弾性を有する板状の金属製構造物を別途設けて、灯体とソケットカバーとを接続してコモンモード放射電磁界の低減をはかっているため、部品点数が増加することで、放電灯点灯装置自体のコストアップにつながる可能性があった。また、放電灯点灯装置は、組み立て時やバルブの交換を想定すると、灯体とソケットカバーとが着脱自在であるため、灯体とソケットカバーとの電気的接続を更に安定化して行う必要があった。
【０００５】
本発明は、上記従来技術の問題に鑑み、コモンモード放射電磁界低減のための灯体とソケットカバーとの電気的接続をシンプルな機構で安定して実現する放電灯点灯装置及びソケットカバーを提供することを目的とする。
【課題を解決するための手段】
【０００６】
上述の目的を達成するために、本発明の請求項１に係る放電灯点灯装置は、放電灯点灯用インバータ回路により点灯される放電灯と、該放電灯を装着するためのソケット部と、該ソケット部の周囲を覆う金属製のソケットカバーと、前記ソケット部への対向面に対向部を有し、前記放電灯を組み込む金属製の灯体とを備えた放電灯点灯装置であって、前記ソケットカバーと前記灯体との間に、一端が前記ソケットカバーに電気的に接続され、他端が前記ソケット部側から前記対向部に電気的接続可能な弾性を有する接続部を、前記対向部の全周囲にわたり複数個設けている。
【０００７】
また、本発明の請求項２に係る放電灯点灯装置は、放電灯点灯用インバータ回路により点灯される放電灯と、該放電灯を装着するためのソケット部と、該ソケット部の周囲を覆う金属製のソケットカバーと、前記ソケット部への対向面に対向部を有し、前記放電灯を組み込む金属製の灯体とを備えた放電灯点灯装置であって、前記ソケットカバーと前記灯体との間に、一端が前記ソケットカバーに電気的に接続され、他端が前記ソケット部側から前記対向部に電気的接続可能な弾性を有する接続部を、前記対向部の全周囲にわたり連続して設けている。
【０００８】
また、本発明の請求項３に係る放電灯点灯装置は、請求項１又は請求項２に記載の放電灯点灯装置において、前記接続部が前記ソケットカバーと一体形成されている。
【０００９】
また、本発明の請求項４に係る放電灯点灯装置は、請求項１又は請求項２に記載の放電灯点灯装置において、前記接続部が前記ソケットカバーと別途形成されている。
【００１０】
また、本発明の請求項５に係る放電灯点灯装置は、請求項１乃至請求項４のいずれかに記載の放電灯点灯装置において、前記放電灯は、バルブ本体と、バルブ電極と、前記バルブ本体と前記バルブ電極との間に設けたバルブマウントとを少なくとも備え、前記灯体は、該灯体と前記ソケット部との間で前記バルブマウントを挟持するストッパー部を備えるとともに、前記接続部と着脱自在に嵌合する嵌合接続部を備えている。
【００１１】
また、本発明の請求項６に係る放電灯点灯装置に用いるソケットカバーは、放電灯点灯用インバータ回路により点灯される放電灯と、前記放電灯を装着するためのソケット部と、該ソケット部の周囲を覆う金属製のソケットカバーと、前記ソケット部への対向面に対向部を有し、前記放電灯を組み込む金属製の灯体とを備えた放電灯点灯装置に用いるソケットカバーであって、前記ソケットカバーは、前記ソケット部側から前記対向部の全周囲にわたり電気的接続可能な弾性を有する接続部を備えている。
【発明の効果】
【００１２】
このような構成の放電灯点灯装置は、ソケットカバーと灯体との間に、一端がソケットカバーに電気的に接続され、他端が灯体側の対向部に電気的接続可能な弾性を有する接続部を対向部の全周囲、つまり３６０度にわたり複数個設け、灯体とソケットカバーとを電気的に低いインピーダンスで接続することで、コモンモード放射電磁界低減をシンプルな機構で安定して実現することができる。
【００１３】
また、このような構成の放電灯点灯装置は、ソケットカバーと灯体との間に、一端がソケットカバーに電気的に接続され、他端が灯体側の対向部に電気的接続可能な弾性を有する接続部を対向部の全周囲、つまり３６０度にわたり連続して設け、灯体とソケットカバーとを電気的に低いインピーダンスで接続することで、コモンモード放射電磁界低減をシンプルな機構で安定して実現することができる。
【００１４】
また、このような構成の放電灯点灯装置に用いるソケットカバーは、ソケットカバーに対してソケット部側から灯体側の対向部の全周囲にわたり電気的接続可能な弾性を有する接続部を設けることで、様々な灯体に対して汎用的にコモンモード放射電磁界を低減させることができる。
【発明を実施するための最良の形態】
【００１５】
以下、本発明に係る実施形態を図面に基づいて説明する。なお、各図において、同一の符号を付した構成は、同一の構成であることを示し、その説明を省略する。
【００１６】
（第１実施形態）
本発明の第１実施形態を図１及び図２に基づいて説明する。図１は、本発明の第１実施形態に係る放電灯点灯装置の要部構成を示す側部断面図であり、図２は、ソケット部、ソケットカバーを示す正面図（灯体側から見た正面図）である。なお、図１は、図２におけるＡ−Ａ断面での側部の断面図を示したものである。
【００１７】
本実施形態においては、放電灯点灯装置は、自動車用前照灯用に用いられ、図１に示すように、放電灯点灯用インバータ回路（不図示）により点灯される放電灯１であるＨＩＤバルブと、この放電灯１を１組み込むための金属製の灯体２と、放電灯点灯用インバータ回路から例えばシールドメッシュで被覆されたイグナイタハーネス３を介して電力供給を受けて始動時に放電開始に必要な高圧パルスを放電灯１に印加する起動回路（不図示）を含むソケット部４と、このソケット部４の周囲を覆う金属製筐体のソケットカバー５と、後述する接続部６を備えた構成である。なお、放電灯１であるＨＩＤバルブは、バルブ本体１１と、バルブ電極（不図示）と、バルブ本体１１とバルブ電極との間に形成されたバルブマウント１２とを少なくとも備えている。
【００１８】
ここで、灯体２は、ソケット部４と対向する側に設けた開口部２１と、開口部２１の周囲を取り囲む対向部２２とを備えており、放電灯１のバルブ電極は、この開口部２１を通ってソケット部４に設けた電極コネクタ部４１と例えば嵌合するなどして電気的に接続して装着される。
【００１９】
本実施形態においては、ソケットカバー５は、図１及び図２に示すように、ソケットカバー５と一体に形成された弾性を有した金属製の複数個の接続部６を備えた構成である。なお、これら各接続部６の一端は、灯体２に設けた対向部２２の全周囲にわたり、つまり、３６０度にわたり等間隔に（例えば２８個）自身の弾性により、灯体２に圧接可能であり、灯体２とソケットカバー５とが電気的に接続された構成となっている。接続部６の断面形状は、例えば、レ字状の形状である。
【００２０】
なお、灯体２とソケットカバー５との固定方法は、ソケットカバー５を対向部２２に圧接させて両者を電気的に接続させることができる方法であればどのような方法であってもよい。一例としては、図１に示すように、灯体２の対向部２２にマウント１２を搭載するマウント搭載部２３を設け、灯体２にバルブマウント１２を固定し、灯体２のバルブ電極をソケット部４に設けた嵌合箇所である電極コネクタ部４１に嵌合して、灯体２とソケットカバー５とを固定する。
【００２１】
なお、本実施形態では、ソケットカバー５に放射状に形成された２８個の接続部６を一体形成しているが、接続部６の個数は、コモンモード放射電磁界低減のためには、対向部２２全周囲３６０度にわたって各々の接続部６が重ならない範囲で最大個数にし、最大幅を採用することが好ましい。また、接続部６に弾性を持たせることで、灯体２への接圧を十分に持たせることができる。
【００２２】
本実施形態に係る放電灯点灯装置は、ソケットカバー５に一体形成した接続部６の先端が灯体２に設けた対向部２２の全周囲、つまり３６０度にわたって灯体２に電気的に接続して連続的にシールドし、灯体２とソケットカバー５とを電気的に低いインピーダンスで接続することで、バルブの放電現象に起因する高周波ノイズ電流が灯体２を介してソケットカバー５及びイグナイタハーネス３を流れ放電灯点灯用インバータ回路まで最短距離で帰還する。つまり、接続部６により、前述のように最短距離で帰還できずに放射の主要因となる迷走電流（コモンモード電流）を抑制することができるので、コモンモード放射電磁界低減をシンプルな機構で安定して実現することができる。
【００２３】
また、上述のようにソケットカバー５と接続部６とを一体化した構成とすることで、ソケット部４と対向する側に対向部２２を有する金属製の灯体２に対して汎用的にコモンモード放射電磁界低減対策が可能となる。なお、本実施形態に係る放電灯点灯装置では、ＶＨＦ帯域（３０〜３００ＭＨｚ）以上、例えば１０００ＭＨｚを超えた携帯電話、無線ＬＡＮ等の使用帯域である高周波数帯域であっても輻射ノイズレベルを低減させることができる。
【００２４】
ここで、本実施形態の変形形態としては、図略するが、接続部（不図示）をソケットカバー５とは別途形成した構成の放電灯点灯装置を挙げることができる。ソケット部４とソケットカバー５との間に所定の空間（以降、被挟空間と称する。）を有するような場合に、接続部は、被挟空間に被挟させ固定するための被挟部（不図示）と、灯体２に設けた対向部２２と電気的接続を行う先端部（不図示）とを備えた弾性を有した金属製の部材である。変形形態の放電灯点灯装置においては、このような接続部が、灯体２に設けた対向部２２全周囲、つまり３６０度にわたって灯体２とソケットカバー５とを電気的に接続して連続的にシールドするように設けられた構成である。
【００２５】
本変形形態に係る放電灯点灯装置においても、本実施形態（第１実施形態）と同様に、コモンモード放射電磁界低減をシンプルな機構で安定して実現することができる。また、既存のソケット部４とソケットカバー５とが被挟空間を有する場合に、部品点数が増加するものの、ソケットカバー５とは別途形成した接続部によって、ソケット部４と対向する側に対向部２２を有する金属製の灯体２に対して、汎用的にかつ安定したコモンモード放射電磁界低減対策が可能となる。
【００２６】
（第２実施形態）
次に、他の実施形態を、本発明の第２実施形態として図３乃至図５に基づいて説明する。図３は、本発明の第２実施形態に係る放電灯点灯装置の要部構成を示す側部断面図であり、図４は、ソケット部、ソケットカバーを示す正面図（灯体側から見た正面図）である。図５は、ソケット部、ソケットカバーの変形形態を示す正面図（灯体側から見た正面図）である。なお、図３は、図４、図５におけるＢ−Ｂ断面での側部の断面図を示したものである。
【００２７】
本実施形態において、接続部６は、図３に示すように、第１実施形態と同様にソケットカバー５と複数個、例えば１６個の接続部６とが一体化されるともに、図４に示すように、その先端には、嵌合用の先端部６１であるかえし（凸部）を備えた構成である。複数個の接続部６は、対向部２２全周囲３６０度にわたって各々の接続部６が重ならない範囲で最大個数にし、最大幅を採用することが好ましい。
【００２８】
また、灯体２は、灯体２とソケット部４との間でバルブマウント１２を挟持するストッパー部２４と、ストッパー部２４とソケットカバー５との間に、対向部２２を含む構成にて形成された嵌合接続部２５である凹部とを備えている。
【００２９】
本実施形態に係る放電灯点灯装置は、灯体２に設けた対向部２２の全周囲、つまり３６０度にわたって灯体２とソケットカバー５とを電気的に接続し連続的にシールドする接続部６を設け、灯体２とソケットカバー５とを電気的に低いインピーダンスで接続することで、コモンモード放射電磁界低減をシンプルな機構で安定して実現することができる。また、灯体２がストッパー部２４と上述の嵌合接続部２５とを備え、ソケットカバー５には灯体２の嵌合接続部２５と電気的接続して嵌合可能な先端部６１を設けることで、放電灯１、灯体２、ソケット部４の組み立てが極めて簡素化できる。なお、本実施形態に係る放電灯点灯装置では、ＶＨＦ帯域（３０〜３００ＭＨｚ）以上、例えば１０００ＭＨｚを超える携帯電話、無線ＬＡＮ等の使用帯域である高周波数帯域であっても輻射ノイズレベルを低減させることができる。
【００３０】
なお、本実施形態において、灯体２とソケットカバー５との電気的接続は、接続部６に設けた先端部６１である凸部と灯体２に設けた嵌合接続部２５である凹部で、灯体２と接続部６各々を嵌合しているが、先端部６１に凹部を設け、嵌合接続部２５に凸部を設けて、灯体２と接続部６各々を電気的に接続するような構成であってもよい。ここで、先端部６１と嵌合接続部２５との形状は、お互いが着脱自在に嵌合可能な形状であれば特に凹部、凸部の形状に限ったものではない。また、接続部６は、ソケットカバー５と一体形成せずに、別途形成して後両者を一体化してもよい。
【００３１】
ここで、本実施形態の変形形態としては、図５に示すように、接続部６は、リング状の連続した筒に先端部６１であるかえし（例えば、リング状の凸部）を備えた構成であってもよい。この場合、放電灯点灯装置の要部構成を示す側部断面図は図略するが、灯体２に設けた嵌合接続部（例えば凹部）は、接続部６の先端部６１と電気的に接続してかつ嵌合可能なリング状に形成されている。なお、接続部６は、ソケットカバー５と一体形成されていても、別途形成して後に一体化してもよい。図５に示すように、このようなリング状の接続部６は、灯体２に設けた対向部２２の全周囲、つまり３６０度にわたって灯体２とソケットカバー５とを電気的に接続し連続的にシールドすることができる。
【００３２】
本変形形態に係る放電灯点灯装置においても、本実施形態（第２実施形態）と同様に、コモンモード放射電磁界低減をシンプルな機構で安定して実現することができる。
【００３３】
ここで、第１実施形態及び第２実施形態においては、放電灯点灯装置の放電灯１は、自動車用前照灯用に用いられるＨＩＤバルブであるが、自動車用の前照灯用に限ったものではなく、インバータ式の放電灯であればどのような用途の放電灯であってもよい。
【図面の簡単な説明】
【００３４】
【図１】本発明の第１実施形態に係る放電灯点灯装置の要部構成を示す側部断面図である。
【図２】本発明の第１実施形態に係るソケット部、ソケットカバーを示す正面図である。
【図３】本発明の第２実施形態に係る放電灯点灯装置の要部構成を示す側部断面図である。
【図４】本発明の第２実施形態に係るソケット部、ソケットカバーを示す正面図である。
【図５】本発明の第２実施形態に係るソケット部、ソケットカバーの変形形態を示す正面図である。
【図６】従来の放電灯点灯装置の要部構成を示す側部断面図である。
【符号の説明】
【００３５】
１  放電灯
２  灯体
３  イグナイタハーネス
４  ソケット部
５  ソケットカバー
６  接続部
１１  バルブ本体
１２  マウント
２１  開口部
２２  対向部
２３  マウント搭載部
２４  ストッパー部
２５  嵌合接続部
４１  電極コネクタ部
６１  先端部
【図１】
2005294110.tif 000003
【図２】
2005294110.tif 000004
【図３】
2005294110.tif 000005
【図４】
2005294110.tif 000006
【図５】
2005294110.tif 000007
【図６】
2005294110.tif 000008